(57)【要約】      （修正有）【課題】相隣接する防水シートの接合部における固定アンカーによる下方に位置する防水シートの引き裂きを防止すること、相隣接する防水シートの接合部の強度を上げること、相隣接する防水シートの上方に位置する防水シートの端部が破損しても漏水被害を最小限に止めること。【解決手段】構造物１１上に複数の防水シート１２を相隣接する各防水シートの端縁が重なるように敷設し、下方に位置する前記防水シート１２Ａの端縁に沿って、固定座面１３ａを有する複数の固定アンカー１３を所定間隔で一列状に留め付けて該防水シート１２を前記構造物１１上に固定するとともに、前記固定アンカーの固定座面１３ａと下方に位置する前記防水シート１２Ａとを接合し、上方に位置する前記防水シート１２Ｂの端縁を該固定アンカー１２を跨ぐようにして下方に位置する該防水シート１２Ａ上に接合して成る。【選択図】図１
2007039987.tif 000002
【特許請求の範囲】
【請求項１】
構造物上に複数の防水シートを相隣接する各防水シートの端縁が重なるように敷設し、下方に位置する前記防水シートの端縁に沿って、固定座面を有する複数の固定アンカーを所定間隔で一列状に留め付けて該防水シートを前記構造物上に固定するとともに、前記固定アンカーの固定座面と下方に位置する前記防水シートとを接合し、上方に位置する前記防水シートの端縁を該固定アンカーを跨ぐようにして下方に位置する該防水シート上に接合して成ることを特徴とする防水シートの固定構造。
【請求項２】
構造物上に複数の防水シートを相隣接する各防水シートの端縁が重なるように敷設し、下方に位置する前記防水シートの端縁に沿って、固定座面を有する複数の固定アンカーを所定間隔で一列状に留め付けて該防水シートを前記構造物上に固定するとともに、前記固定アンカーの固定座面と下方に位置する前記防水シートとを接合し、上方に位置する前記防水シートの端縁を該固定アンカーを跨ぐようにして下方に位置する該防水シート上に接合するとともに、上方に位置する該防水シートを下方に位置する該防水シートの端縁上に接合して成ることを特徴とする防水シートの固定構造。
【請求項３】
構造物上に複数の防水シートを相隣接する各防水シートの端縁が重なるように敷設し、下方に位置する前記防水シートの端縁に沿って、固定座面を有する複数の固定アンカーを所定間隔で一列状に留め付けて該防水シートを前記構造物上に固定するとともに、前記固定アンカーの固定座面と下方に位置する前記防水シートとを接合し、上方に位置する前記防水シートの端縁を該固定アンカーを跨ぐようにして下方に位置する該防水シート上に接合するとともに、上方に位置する該防水シートと前記固定アンカーの固定座面とを接合して成ることを特徴とする防水シートの固定構造。
【請求項４】
構造物上に複数の防水シートを相隣接する各防水シートの端縁が重なるように敷設し、下方に位置する前記防水シートの端縁に沿って、固定座面を有する複数の固定アンカーを所定間隔で一列状に留め付けて該防水シートを前記構造物上に固定するとともに、前記固定アンカーの固定座面と下方に位置する前記防水シートとを接合し、上方に位置する前記防水シートの端縁を該固定アンカーを跨ぐようにして下方に位置する該防水シート上に接合するとともに、上方に位置する前記防水シートと前記固定アンカーの固定座面とを接合し、かつ上方に位置する該防水シートを下方に位置する該防水シートの端縁上に接合して成ることを特徴とする防水シートの固定構造。
【請求項５】
構造物上に複数の防水シートを相隣接する各防水シートの端縁が重なるように敷設し、前記構造物と下方に位置する前記防水シートの端縁との間に粘着層を設け、下方に位置する前記防水シートの端縁に沿って、固定座面を有する複数の固定アンカーを所定間隔で一列状に留め付けて該防水シートを前記構造物上に固定するとともに、前記固定アンカーの固定座面と下方に位置する前記防水シートとを接合し、上方に位置する前記防水シートの端縁を該固定アンカーを跨ぐようにして下方に位置する該防水シート上に接合して成ることを特徴とする防水シートの固定構造。
【請求項６】
構造物上に複数の防水シートを相隣接する各防水シートの端縁が重なるように敷設し、前記構造物と下方に位置する前記防水シートの端縁との間に粘着層を設け、下方に位置する前記防水シートの端縁に沿って、固定座面を有する複数の固定アンカーを所定間隔で一列状に留め付けて該防水シートを前記構造物上に固定するとともに、前記固定アンカーの固定座面と下方に位置する前記防水シートとを接合し、上方に位置する前記防水シートの端縁を該固定アンカーを跨ぐようにして下方に位置する該防水シート上に接合するとともに、上方に位置する該防水シートを下方に位置する該防水シートの端縁上に接合して成ることを特徴とする防水シートの固定構造。
【請求項７】
構造物上に複数の防水シートを相隣接する各防水シートの端縁が重なるように敷設し、前記構造物と下方に位置する前記防水シートの端縁との間に粘着層を設け、下方に位置する前記防水シートの端縁に沿って、固定座面を有する複数の固定アンカーを所定間隔で一列状に留め付けて該防水シートを前記構造物上に固定するとともに、前記固定アンカーの固定座面と下方に位置する前記防水シートとを接合し、上方に位置する前記防水シートの端縁を該固定アンカーを跨ぐようにして下方に位置する該防水シート上に接合するとともに、上方に位置する該防水シートと前記固定アンカーの固定座面とを接合して成ることを特徴とする防水シートの固定構造。
【請求項８】
構造物上に複数の防水シートを相隣接する各防水シートの端縁が重なるように敷設し、前記構造物と下方に位置する前記防水シートの端縁との間に粘着層を設け、下方に位置する前記防水シートの端縁に沿って、固定座面を有する複数の固定アンカーを所定間隔で一列状に留め付けて該防水シートを前記構造物上に固定するとともに、前記固定アンカーの固定座面と下方に位置する前記防水シートとを接合し、上方に位置する前記防水シートの端縁を該固定アンカーを跨ぐようにして下方に位置する該防水シート上に接合するとともに、上方に位置する前記防水シートと前記固定アンカーの固定座面とを接合し、かつ上方に位置する該防水シートを下方に位置する該防水シートの端縁上に接合して成ることを特徴とする防水シートの固定構造。
【請求項９】
請求項１ないし請求項８の何れかに記載の防水シートの固定構造において、前記固定アンカーの固定座面とその下方に位置する前記防水シートとの接合は、電磁誘導加熱による熱融着または溶剤による溶融着または接着剤により形成されていることを特徴とする防水シートの固定構造。
【請求項１０】
請求項１ないし請求項９の何れかに記載の防水シートの固定構造において、前記粘着層は、遮水、防水、撥水機能を有する粘着材または粘着テープを、前記構造物上に施すことによって形成されていることを特徴とする防水シートの固定構造。
【発明の詳細な説明】
【技術分野】
【０００１】
本発明は、例えば、陸屋根などの防水シートの固定構造に関する。
【背景技術】
【０００２】
従来、この種の防水シートの固定構造としては、例えば、図１５に示すものが知られている（例えば、特許文献１〜特許文献４参照）。
図１５に示す防水シートの固定構造は、例えば、下記のようにして形成される。陸屋根などの防水すべき壁面などの構造物１の所定箇所に、複数の防水シート２を相隣接する各防水シート２Ａ，２Ｂの端縁２ａ，２ｂが重なるように敷設し、下方に位置する防水シート２Ａの端縁２ａに沿って、固定座面３ａを有する複数の固定アンカー３を所定間隔で一列状に留め付けて防水シート２Ａを構造物１上に固定する。次に、上方に位置する防水シート２Ｂの端縁２ｂを固定アンカー３を跨ぐようにして下方に位置する防水シート２Ａ上に接着する。さらに、上方に位置する防水シート２Ｂを下方の防水シート２Ａの端部２ａ上に接着する。
【０００３】
斯くして構成された防水シートの固定構造によれば、下方に位置する防水シート２Ａに固定された固定アンカー３による固定部分に負圧がかかった場合、図１６のように変形し、固定部３ｂに剥離力を発生させ無いことで、防水層を強固に形成している。
【特許文献１】特許第１６８３２３２号公報
【特許文献２】特開平５−１４５６号公報
【特許文献３】特公平８−２５２１６０１号公報
【特許文献４】特公平９−２６８３４５７号公報
【発明の開示】
【発明が解決しようとする課題】
【０００４】
しかし、特許文献１の技術では、風荷重を静的な負圧とし、図１６のようなモデル化は一般的であるが、実際の風荷重による挙動は、必ずしもこのようにはならず、パラペットなど障害物による偏負圧や、風向によって、図１７のように、防水のある範囲や防水シート全体を一定方向に移動させる力とし働くことがある。これは勾配屋根における積雪荷重なども同様である。
【０００５】
また、特に屋根面などにおいては、温度変化による熱収縮により、防水シートに対して固定アンカーは繰り返し水平方向の移動を起こしている。従って、下方に位置する防水シート２Ａに空けた固定用アンカー３の孔周辺は、常に引裂き力を受け、ひいては、下方に位置する防水シート２の固定の耐久性を下げ、孔が広がることで防水シート本体の劣化因子を増してしまっている。
【０００６】
また、特許文献２の技術では、高い強度と信頼性を得ることはできるが、設計を上回るような外力が生じた場合（内部からの吹き上げ、部分的な破損からシート下面側への風の流入など）に生じる破壊においては、これ以前の方法と何ら変わらない。
さらに、特許文献３，４の技術では、１接合部に対して２溶着線となり工数が増えるか、専用の溶着機を必要とする。又は納品前の加工数が増える。
【０００７】
本発明は斯かる従来の問題点を解決するために為されたもので、その目的は、相隣接する防水シートの接合部における固定アンカーによる下方に位置する防水シートの引き裂きを防止することが可能な防水シートの固定構造を提供することにある。
本発明の別の目的は、相隣接する防水シートの接合部の強度を上げることが可能な防水シートの固定構造を提供することにある。
【０００８】
本発明のさらに別の目的は、相隣接する防水シートの上方に位置する防水シートの端部が破損しても漏水被害を最小限に止めることが可能な防水シートの固定構造を提供することにある。
【課題を解決するための手段】
【０００９】
第一の発明は、構造物上に複数の防水シートを相隣接する各防水シートの端縁が重なるように敷設し、下方に位置する前記防水シートの端縁に沿って、固定座面を有する複数の固定アンカーを所定間隔で一列状に留め付けて該防水シートを前記構造物上に固定するとともに、前記固定アンカーの固定座面と下方に位置する前記防水シートとを接合し、上方に位置する前記防水シートの端縁を該固定アンカーを跨ぐようにして下方に位置する該防水シート上に接合して成ることを特徴とする。
【００１０】
第二の発明は、構造物上に複数の防水シートを相隣接する各防水シートの端縁が重なるように敷設し、下方に位置する前記防水シートの端縁に沿って、固定座面を有する複数の固定アンカーを所定間隔で一列状に留め付けて該防水シートを前記構造物上に固定するとともに、前記固定アンカーの固定座面と下方に位置する前記防水シートとを接合し、上方に位置する前記防水シートの端縁を該固定アンカーを跨ぐようにして下方に位置する該防水シート上に接合するとともに、上方に位置する該防水シートを下方に位置する該防水シートの端縁上に接合して成ることを特徴とする。
【００１１】
第三の発明は、構造物上に複数の防水シートを相隣接する各防水シートの端縁が重なるように敷設し、下方に位置する前記防水シートの端縁に沿って、固定座面を有する複数の固定アンカーを所定間隔で一列状に留め付けて該防水シートを前記構造物上に固定するとともに、前記固定アンカーの固定座面と下方に位置する前記防水シートとを接合し、上方に位置する前記防水シートの端縁を該固定アンカーを跨ぐようにして下方に位置する該防水シート上に接合するとともに、上方に位置する該防水シートと前記固定アンカーの固定座面とを接合して成ることを特徴とする。
【００１２】
第四の発明は、構造物上に複数の防水シートを相隣接する各防水シートの端縁が重なるように敷設し、下方に位置する前記防水シートの端縁に沿って、固定座面を有する複数の固定アンカーを所定間隔で一列状に留め付けて該防水シートを前記構造物上に固定するとともに、前記固定アンカーの固定座面と下方に位置する前記防水シートとを接合し、上方に位置する前記防水シートの端縁を該固定アンカーを跨ぐようにして下方に位置する該防水シート上に接合するとともに、上方に位置する前記防水シートと前記固定アンカーの固定座面とを接合し、かつ上方に位置する該防水シートを下方に位置する該防水シートの端縁上に接合して成ることを特徴とする。
【００１３】
第五の発明は、構造物上に複数の防水シートを相隣接する各防水シートの端縁が重なるように敷設し、前記構造物と下方に位置する前記防水シートの端縁との間に粘着層を設け、下方に位置する前記防水シートの端縁に沿って、固定座面を有する複数の固定アンカーを所定間隔で一列状に留め付けて該防水シートを前記構造物上に固定するとともに、前記固定アンカーの固定座面と下方に位置する前記防水シートとを接合し、上方に位置する前記防水シートの端縁を該固定アンカーを跨ぐようにして下方に位置する該防水シート上に接合して成ることを特徴とする。
【００１４】
第六の発明は、構造物上に複数の防水シートを相隣接する各防水シートの端縁が重なるように敷設し、前記構造物と下方に位置する前記防水シートの端縁との間に粘着層を設け、下方に位置する前記防水シートの端縁に沿って、固定座面を有する複数の固定アンカーを所定間隔で一列状に留め付けて該防水シートを前記構造物上に固定するとともに、前記固定アンカーの固定座面と下方に位置する前記防水シートとを接合し、上方に位置する前記防水シートの端縁を該固定アンカーを跨ぐようにして下方に位置する該防水シート上に接合するとともに、上方に位置する該防水シートを下方に位置する該防水シートの端縁上に接合して成ることを特徴とする。
【００１５】
第七の発明は、構造物上に複数の防水シートを相隣接する各防水シートの端縁が重なるように敷設し、前記構造物と下方に位置する前記防水シートの端縁との間に粘着層を設け、下方に位置する前記防水シートの端縁に沿って、固定座面を有する複数の固定アンカーを所定間隔で一列状に留め付けて該防水シートを前記構造物上に固定するとともに、前記固定アンカーの固定座面と下方に位置する前記防水シートとを接合し、上方に位置する前記防水シートの端縁を該固定アンカーを跨ぐようにして下方に位置する該防水シート上に接合するとともに、上方に位置する該防水シートと前記固定アンカーの固定座面とを接合して成ることを特徴とする。
【００１６】
第八の発明は、構造物上に複数の防水シートを相隣接する各防水シートの端縁が重なるように敷設し、前記構造物と下方に位置する前記防水シートの端縁との間に粘着層を設け、下方に位置する前記防水シートの端縁に沿って、固定座面を有する複数の固定アンカーを所定間隔で一列状に留め付けて該防水シートを前記構造物上に固定するとともに、前記固定アンカーの固定座面と下方に位置する前記防水シートとを接合し、上方に位置する前記防水シートの端縁を該固定アンカーを跨ぐようにして下方に位置する該防水シート上に接合するとともに、上方に位置する前記防水シートと前記固定アンカーの固定座面とを接合し、かつ上方に位置する該防水シートを下方に位置する該防水シートの端縁上に接合して成ることを特徴とする。
【発明の効果】
【００１７】
本発明によれば、相隣接する防水シートの接合部における固定アンカーによる下方に位置する防水シートの引き裂きを確実に防止することができる。
また、本発明によれば、相隣接する防水シートの接合部の強度を上げることができる。
さらに、本発明によれば、相隣接する防水シートの上方に位置する防水シートの端部が破損しても漏水被害を最小限に止めることができる。
【発明を実施するための最良の形態】
【００１８】
以下、本発明の実施例を示す図面に基づいて説明する。
図１，図２は、本発明の第一実施形態に係る防水シートの固定構造１０を示す。
本実施形態に係る防水シートの固定構造１０は、例えば、下記のようにして形成される。
先ず、陸屋根などの防水すべき壁面などの構造物１１の所定箇所に、一対の防水シート１２を相隣接する各防水シート１２Ａ，１２Ｂの端縁１２ａ，１２ｂが重なるように敷設する。なお、防水シート１２は、合成樹脂により形成され、防水性を有し、かつ極めて引っ張りなどの外力に対しても耐久力を有する。また、防水シート１２はロール状にして現場に搬入される。ここでは、一組の防水シート１２について説明したが、防水シート１２は、構造物に応じて適宜枚数敷設される。
【００１９】
次に、下方に位置する防水シート１２Ａの端縁１２ａに沿って、定法に従って、ディスク形状の固定座面１３ａと針状のアンカー部１３ｂとを有する複数の固定アンカー１３を所定間隔で一列状に留め付けて防水シート１２Ａを構造物１１上に固定する。
次に、固定アンカー１３の固定座面１３ａ上に電磁誘電加熱装置を配し、固定アンカー１３の固定座面１３ａの下面１３ｃと下方に位置する防水シート１２Ａとを、電磁誘導加熱による熱融着により接合して接合部１４ａを形成する。
【００２０】
次に、上方に位置する防水シート１２Ｂの端縁１２ｂを固定アンカー１３を跨ぐようにして下方に位置する防水シート１２Ａ上に配し、両者を接着剤によって接合して接合部１４ｂを形成する。
斯くして構成された本実施形態によれば、固定アンカー１３の下面１３ｃと下方に位置する防水シート１２Ａとが接合部１４ａを介して一体となるため、外力を受けても、固定アンカー１３の下面１３ｃと下方に位置する防水シート１２Ａとが動くことにより、固定アンカー１３が起こす下方に位置する防水シート１２Ａの引裂きを防ぐことができる。
【００２１】
さらに、設計を上回る荷重が加わった場合には、図２に示すように、上方に位置する防水シート１２Ｂと下方に位置する防水シート１２Ａとが接合部１４ｂを介して捲り上がるが、必ず上方に位置する防水シート１２Ｂと下方に位置する防水シート１２Ａとの接合部１４ｂの剥離が先行して発生し、下方の防水シート１２Ａの飛散を防止することができる。
【００２２】
以上のように、本実施形態によれば、固定アンカー１３の下面１３ｃと下方に位置する防水シート１２Ａとを、電磁誘導加熱による熱融着により非常に堅牢に接合してなる接合部１４ａを形成し、また片側（上方に位置する防水シート１２Ｂの端部１２ｂ）の接合部１４ｂの剥離により、防水面への荷重を低減し、防水シート１２の飛散を防ぎ、破壊範囲を最小限に止めることが可能となる。
【００２３】
また、上方に位置する防水シート１２Ｂの端縁１２ｂを固定アンカー１３を跨ぐようにして下方に位置する防水シート１２Ａ上に接合して接合部１４ｂを形成しているので、固定アンカー１３の上面１３ｄの被覆材、接着剤等が不要となる。
また、上方に位置する防水シート１２Ｂの端縁１２ｂと下方に位置する防水シート１２Ａとの接合部１４ｂは、一本の接合線であり工数増分が少ない。
【００２４】
また、下方に位置する防水シート１２Ａに対して固定アンカー１３が鳩目状に補強効果を発揮するため、より大径のアンカーを使用することもできる。
なお、上記実施形態では、固定アンカー１３の固定座面１３ａの下面１３ｃと下方に位置する防水シート１２Ａとの接合部１４ａを、電磁誘導加熱による熱融着により形成する場合について説明したが、本発明はこれに限らず、溶剤による溶融着、または接着剤による接着でも良い。これらの場合は、固定アンカー１３を所定間隔で一列状に留め付けて防水シート１２Ａを構造物１１上に固定する際に、固定座面１３ａの下面１３ｃに溶剤または接着剤を塗布する必要がある。
【００２５】
図３、図４は、本発明の第二実施形態に係る防水シートの固定構造２０を示す。
本実施形態に係る防水シートの固定構造２０は、上方に位置する防水シート１２Ｂの接合部１４ｂを２箇所にした点で、第一実施形態とは相違する。
本実施形態では、上方に位置する防水シート１２Ｂの端部１２ｂを下方に位置する防水シート１２Ａの接合した後、下方に位置する防水シート１２Ａの端部１２ａに接合することによって、上方に位置する防水シート１２Ｂの２箇所の接合部１４ｂが形成される。
【００２６】
本実施形態においては、設計を上回る荷重が加わった場合には、図４に示すように、上方に位置する防水シート１２Ｂと下方に位置する防水シート１２Ａとが２箇所の接合部１４ｂを介して捲り上がるが、必ず上方に位置する防水シート１２Ｂと下方に位置する防水シート１２Ａとの接合部１４ｂの剥離が先行して発生し、下方の防水シート１２Ａの飛散を防止することができる。
【００２７】
本実施形態においても、第一実施形態と同様の作用効果を奏することができる。
図５、図６は、本発明の第三実施形態に係る防水シートの固定構造３０を示す。
本実施形態に係る防水シートの固定構造３０は、固定アンカー１３の固定座面１３ａの上面１３ｄを上方に位置する防水シート１２Ｂに接合した点で、第一実施形態とは相違する。
【００２８】
本実施形態に係る防水シートの固定構造３０は、例えば、下記のようにして形成される。
陸屋根などの防水すべき壁面などの構造物１１の所定箇所に、一対の防水シート１２を相隣接する各防水シート１２Ａ，１２Ｂの端縁１２ａ，１２ｂが重なるように敷設し、下方に位置する防水シート１２Ａの端縁１２ａに沿って定法に従って、ディスク形状の固定座面１３ａを有する複数の固定アンカー１３を所定間隔で一列状に留め付けて防水シート１２Ａを構造物１１上に固定する。
【００２９】
次に、上方に位置する防水シート１２Ｂの端縁１２ｂを固定アンカー１３を跨ぐようにして下方に位置する防水シート１２Ａ上に重ね、両者を接着剤によって接合して接合部１４ｂを形成する。
次に、上方に位置する防水シート１２Ｂの上に電磁誘電加熱装置を配し、上方に位置する防水シート１２Ｂと固定アンカー１３の固定座面１３ａの上面１３ｄとの間、固定アンカー１３の固定座面１３ａの下面１３ｃと下方に位置する防水シート１２Ａとの間を、電磁誘導加熱による熱融着により接合して、固定アンカー１３の固定座面１３ａの上下面１３ｃ，１３ｄに接合部１４ａ，１４ｃを形成する。
【００３０】
本実施形態によれば、第一実施形態に係る防水シートの固定構造１０よりも接合部の強度を高めることが可能となる。
本実施形態においても、第一実施形態と同様の作用効果を奏することができる。
なお、上記実施形態では、上方に位置する防水シート１２Ｂと固定アンカー１３の固定座面１３ａの上面１３ｄとの間、および固定アンカー１３の固定座面１３ａの下面１３ｃと下方に位置する防水シート１２Ａとの間を、電磁誘導加熱による熱融着による場合について説明したが、本発明はこれに限らず、溶剤による溶融着、または接着剤による接着でも良い。これらの場合は、固定アンカー１３を所定間隔で一列状に留め付けて固定座面１３ａの下面１３ｃを介して防水シート１２Ａを構造物１１上に固定する際、および上方に位置する防水シート１２Ｂと固定アンカー１３の固定座面１３ａの上面１３ｄ上に固定する際に、固定座面１３ａの上下面１３ｃ，１３ｄに溶剤または接着剤を塗布する必要がある。
【００３１】
図７，図８は、本発明の第四実施形態に係る防水シートの固定構造４０を示す。
本実施形態に係る防水シートの固定構造４０は、上方に位置する防水シート１２Ｂの接合部１４ｂを２箇所にした点で、第三実施形態とは相違する。
本実施形態においても、第三実施形態と同様の作用効果を奏することができる。
図９，図１０は、本発明の第五実施形態に係る防水シートの固定構造５０を示す。
【００３２】
本実施形態に係る防水シートの固定構造５０は、接合部の下地と下方に位置する防水シート１２Ａの間に、固定アンカー１３直下を含み、下生地端部までに遮水、防水、撥水性能を持つ粘着または接着するテープ１５を連続して貼設した点で、第一実施形態とは相違する。
ここで、テープ１５は、下方に位置する防水シート１２Ａおよび下地との接着性に優れ、その界面がある程度の防水性を有し、耐久性の高い物が望ましい。これらの性能を満たす粘着材としては、例えばブチルが挙げれる。
【００３３】
界面の防水性には固定アンカー１３による圧縮力の効力を期待できるが、このとき固定アンカー１３の固定座面１３ａと下生地の溶着完了後、図１１に示すように、固定アンカー１３による下地への緊定（矢印で示す）を行うことで、より効果をあげることが期待できる。
本実施形態によれば、図１２に示すように、想定以上の風荷重（内部からの吹き上げ）があっても、剥離部分のみ先行して破壊するので、破壊範囲を限定し、かつ破壊シートの飛散を防止できる。従って、漏水被害を最小限に止めることができる。
【００３４】
また、本実施形態においても、第一実施形態と同様の作用効果を奏することができる。
なお、上記実施形態では、テープ１５として、遮水、防水、撥水性能を持つ粘着または接着するものについて説明したが、本発明はこれに限らず、必ずしもそれ自体に粘着および接着性がなくとも、固定アンカー１３の緊定による圧縮力によって効果を発揮するＥＰＤＭ（エチレン・プロピレン・ジエンゴム）などからなるガスケットでも良い。
【００３５】
図１３，図１４は、本発明の第六実施形態に係る防水シートの固定構造６０を示す。
本実施形態に係る防水シートの固定構造６０は、上方に位置する防水シート１２Ｂの接合部１４ｂを２箇所にした点で、第五実施形態とは相違する。
本実施形態においても、第五実施形態と同様の作用効果を奏することができる。
【図面の簡単な説明】
【００３６】
【図１】本発明の第一実施形態に係る防水シートの固定構造１０を示す断面図である。
【図２】図１の防水シートの固定構造１０の作用を示す説明図である。
【図３】本発明の第二実施形態に係る防水シートの固定構造２０を示す断面図である。
【図４】図３の防水シートの固定構造２０の作用を示す説明図である。
【図５】本発明の第三実施形態に係る防水シートの固定構造３０を示す断面図である。
【図６】図５の防水シートの固定構造３０の作用を示す説明図である。
【図７】本発明の第四実施形態に係る防水シートの固定構造４０を示す断面図である。
【図８】図７の防水シートの固定構造４０の作用を示す説明図である。
【図９】本発明の第五実施形態に係る防水シートの固定構造５０を示す断面図である。
【図１０】図９の防水シートの固定構造５０の作用を示す説明図である。
【図１１】図９の防水シートの固定構造５０の作用を示す説明図である。
【図１２】図９の防水シートの固定構造５０の作用を示す説明図である。
【図１３】本発明の第六実施形態に係る防水シートの固定構造６０を示す断面図である。
【図１４】図１３の防水シートの固定構造６０の作用を示す説明図である。
【図１５】従来の防水シートの固定構造を示す断面図である。
【図１６】図１５の防水シートの固定構造の作用を示す説明図である。
【図１７】図１５の防水シートの固定構造の作用を示す説明図である。
【符号の説明】
【００３７】
１０，２０，３０，４０，５０，６０  防水シートの固定構造
１１  構造物
１２  防水シート
１２Ａ  下方に位置する防水シート
１２Ｂ  上方に位置する防水シート
１２ａ  下方に位置する防水シートの端部
１２ｂ  上方に位置する防水シートの端部
１３  固定アンカー
１３ａ  固定アンカー１３の固定座面
１３ｂ  固定アンカー１３のアンカー部
１３ｃ  固定座面の下面
１３ｄ  固定座面の上面
１４ａ，１４ｂ，１４ｃ  接合部
１５  テープ
【図１】
2007039987.tif 000003
【図２】
2007039987.tif 000004
【図３】
2007039987.tif 000005
【図４】
2007039987.tif 000006
【図５】
2007039987.tif 000007
【図６】
2007039987.tif 000008
【図７】
2007039987.tif 000009
【図８】
2007039987.tif 000010
【図９】
2007039987.tif 000011
【図１０】
2007039987.tif 000012
【図１１】
2007039987.tif 000013
【図１２】
2007039987.tif 000014
【図１３】
2007039987.tif 000015
【図１４】
2007039987.tif 000016
【図１５】
2007039987.tif 000017
【図１６】
2007039987.tif 000018
【図１７】
2007039987.tif 000019